(57)【特許請求の範囲】
【請求項１】
ノズル（３０）であって、
（ａ）軸方向中心線（３８）を画成する中心胴体（３２）と、
（ｂ）前記中心胴体（３２）の少なくとも一部分を円周方向に囲繞して該中心胴体（３２）との間に環状通路（４０）を画成するシュラウド（３４）と、
（ｃ）前記中心胴体（３２）の内部にかつ前記軸方向中心線（３８）にほぼ平行に設けられたプレナム（４４、４６）と、
（ｄ）前記中心胴体（３２）の内部にかつ前記プレナム（４４、４６）に全体的に隣接して配置された点火装置（５２）と、
を備え、
前記点火装置（５２）が、当該ノズル（３０）が配置される燃焼器（７０）の半径方向にみて前記プレナム（４４、４６）の外側に配置される、ノズル（３０）。
【請求項２】
前記環状通路（４０）が、前記中心胴体（３２）にほぼ平行である、請求項１に記載のノズル（３０）。
【請求項３】
前記プレナム（４４）が、前記中心胴体（３２）を通る液体燃料のための流体連通をもたらす、請求項１または２に記載のノズル（３０）。
【請求項４】
前記プレナム（４６）が、前記中心胴体（３２）を通る希釈媒体のための流体連通をもたらす、請求項１から３のいずれかに記載のノズル（３０）。
【請求項５】
前記点火装置（５２）が、スパークプラグ、レーザ（５６）又は火炎源の少なくとも１つを含む、請求項１から４のいずれかに記載のノズル（３０）。
【請求項６】
前記点火装置（５２）が、前記軸方向中心線（３８）にほぼ平行にビーム、スパーク又は火炎の少なくとも１つを投射する、請求項１から５のいずれかに記載のノズル（３０）。
【請求項７】
前記シュラウド（３４）と中心胴体（３２）の間の前記環状通路（４０）内に複数のベーン（３６）をさらに含む、請求項１から６のいずれかに記載のノズル（３０）。
【請求項８】
燃焼器（７０）を点火燃焼させる方法であって、
（ａ）ノズル（３０）内において軸方向に整列した中心胴体（３２）を通して燃料を流すステップと、
（ｂ）前記中心胴体（３２）にほぼ平行にかつ該中心胴体（３２）の半径方向外側に設けられた環状通路（４０）を通して作動流体を流すステップと、
（ｃ）前記中心胴体（３２）の内部に設置された点火装置（５２）から、前記燃焼器（７０）の半径方向にみて前記中心胴体（３２）を通って流れる前記燃料の外側にビーム、スパーク又は火炎の少なくとも１つを投射するステップと、
を含む、方法。
【請求項９】
前記中心胴体（３２）を通して液体燃料を流すステップをさらに含む、請求項８に記載の方法。
【請求項１０】
前記ノズル（３０）の軸方向中心線（３８）にほぼ平行に前記ビーム、スパーク又は火炎の少なくとも１つを投射するステップをさらに含む、請求項８または９に記載の方法。
【発明の詳細な説明】
【技術分野】
【０００１】
本発明は、広義には燃焼器を点火燃焼させるための装置及び方法に関する。具体的な実施形態では、本装置は、ノズルの軸方向中心線と整列した点火装置を有するノズル又は燃焼器を含むことができる。
【背景技術】
【０００２】
ガスタービン、航空機エンジン、及び数多くのその他の燃焼式のシステムは、１以上の燃焼器を含み、燃焼器は、空気のような作動流体を燃料と混合しかつその燃料−空気混合気を点火燃焼させて高温及び高圧燃焼ガスを発生させる。図１は、例えばガスタービン内に備えることができる燃焼器１０の簡略断面図を示している。作動流体１２は、流れスリーブ１４とライナ１６の間を流れた後に、その方向を逆転させかつ１以上のノズル１８を通って燃焼チャンバ２０内に流れることができる。ノズル１８は、燃料を作動流体１２と混合し、点火システム２２が燃焼チャンバ２０内で燃料−空気混合気を点火燃焼させる。
【０００３】
点火システム２２は、例えば燃焼チャンバ２０内にスパーク又はビームを投射するスパークプラグ又はレーザを含むことができる。それに代えて又は加えて、点火システム２２は、例えば隣接する燃焼器から燃焼チャンバ２０に火炎を供給するクロスファイア管２４を含むことができる。いずれにせよ、点火システム２２は多くの場合に、該点火システム２２が燃料−空気混合気とほぼ一致させて燃焼チャンバ２０内にスパーク、ビーム又は火炎を投射して、該点火システム２２の信頼性を高めることができるように、燃焼チャンバ２０の側面に沿って設置される。
【０００４】
燃焼チャンバ２０の側面に沿って点火システム２２を設置することは、幾つかの短所を有する。例えば、図１に示す点火システム２２は各々、燃焼器１０のライナ１６を突き抜ける貫通部を必要とし、貫通部を通しての又は該貫通部の周りでの漏洩及び／又は乱流の発生原因となりかねない。さらに、燃焼器１０の側面に沿って設置された点火システム２２は必然的に、ライナ１６と流れスリーブ１４の間の作動流体１２の流れと干渉して、燃焼器１０にわたる作動流体１２の差圧を増大させてガスタービンの全体効率を低下させる。これら２つの短所と、側面取付け点火システム２２に関連する短所のため、ノズル１８内で燃料との混合に使用できる作動流体の量及び／又は流量が減少する。燃料との予混合に使用できる作動流体の量は、ピーク火炎温度及びＮＯｘエミッションに直接的な影響を与える。
【０００５】
燃焼器１０のブリーチ端部内に点火システムを組入れて作動流体１２の流れとの干渉を低減又は解消するより多くの最新の試みが、行われている。しかしながら、燃焼器のブリーチ端部内に設置されたノズル１８の寸法及び数により必然的に、点火システムに使用することができる表面積が制限される。
【先行技術文献】
【特許文献】
【０００６】
【特許文献１】米国特許第４２４９１０３号明細書
【発明の概要】
【発明が解決しようとする課題】
【０００７】
その結果、燃焼器１０の側面を突き抜ける貫通部及び／又は作動流体１２との干渉を低減又は解消する改良型の燃焼器１０を点火燃焼させるためのシステム及び方法が有用であると言える。
【０００８】
本発明の態様及び利点は、以下において次の説明に記載しており、或いはそれら説明から自明なものとして理解することができ、或いは本発明の実施により学ぶことができる。
【課題を解決するための手段】
【０００９】
本発明の一実施形態は、ノズルであり、本ノズルは、軸方向中心線を画成する中心胴体を含む。シュラウドが、中心胴体の少なくとも一部分を円周方向に囲繞して該中心胴体とシュラウドの間に環状通路を画成する。プレナムが、中心胴体の内部にかつ軸方向中心線にほぼ平行に設けられ、点火装置が、中心胴体の内部にかつプレナムに全体的に隣接して配置される。
【００１０】
本発明の別の実施形態は、燃焼器であり、本燃焼器は、端部キャップと、端部キャップ内に半径方向に配置された複数のノズルとを含む。複数のノズルの各々は、軸方向中心線を画成する中心胴体を含む。シュラウドが、中心胴体の少なくとも一部分を円周方向に囲繞して該中心胴体とシュラウドの間に環状通路を画成する。プレナムが、中心胴体の内部にかつ軸方向中心線にほぼ平行に設けられ、点火装置が、複数のノズルの少なくとも１つの中心胴体の内部に配置される。
【００１１】
本発明の実施形態は、燃焼器を点火燃焼させる方法を含むことができる。本方法は、ノズル内において軸方向に整列した中心胴体を通して燃料を流すステップと、中心胴体にほぼ平行にかつ該中心胴体の半径方向外側に設けられた環状通路を通して作動流体を流すステップとを含む。本方法はさらに、中心胴体の内部に設置された点火装置からビーム、スパーク又は火炎の少なくとも１つを投射するステップを含む。
【００１２】
本明細書を精査することにより、当業者には、そのような実施形態の特徴及び態様並びにその他がより良好に理解されるであろう。
【００１３】
かかる実施形態の特徴、態様などについては、本明細書を参照することによって理解を深めることができるであろう。
【００１４】
本発明を当業者が実施できるように、以下の詳細な説明では、図面を参照しながら、本発明を最良の形態を含めて十分に開示する。
【図面の簡単な説明】
【００１５】
【図１】例示的な燃焼器の簡略側面断面図。
【図２】本発明の一実施形態によるノズルの斜視図。
【図３】図２に示すノズルの一部分の拡大斜視図。
【図４】本発明の一実施形態による燃焼器の簡略側面断面図。
【図５】本発明の一実施形態による、図４に示す燃焼器の簡略軸方向断面図。
【図６】本発明の別の実施形態による、図４に示す燃焼器の簡略軸方向断面図。
【発明を実施するための形態】
【００１６】
以下、本発明の実施形態について詳しく説明するが、その１以上の実施例を図面に示す。発明の詳細な説明では、図面に記載した特徴的構成を示すために数字又は文字を符号として用いる。図面及び発明の詳細な説明では、本発明の同一又は同様の部品を示すために、同一又は同様の符号を用いる。
【００１７】
各実施例は例示にすぎず、本発明を限定するものではない。実際、本発明の技術的範囲又は技術的思想から逸脱せずに、本発明に様々な修正及び変形をなすことができることは当業者には明らかであろう。例えば、ある実施形態の一部として例示又は説明した特徴を、別の実施形態に用いてさらに別の実施形態としてもよい。従って、本発明は、かかる修正及び変形を特許請求の範囲で規定される技術的範囲及びその均等の範囲に属するものとして包含する。
【００１８】
本発明の様々な実施形態は、燃焼器を点火燃焼させるための装置を含み、この装置では、燃焼器を点火燃焼させる信頼性がある方法が得られる。例えば、幾つかの実施形態は、ノズルを含み、ノズルは、該ノズルの軸方向中心線とほぼ整列した点火システムをその内部に有することができる。別の実施形態は、複数のノズルを燃焼器内に組入れており、それらノズルの１以上が、その内部に点火システムを有する。このようにして、本発明の様々な実施形態により、燃焼器の周りで又は該燃焼器を通る流体流れと干渉する可能性がある該燃焼器の側面を突き抜ける付加的貫通部を必要とせずに、燃焼器を点火燃焼させるための信頼性があるシステム及び方法が得られる。
【００１９】
図２は、本発明の一実施形態によるノズル３０の斜視図であり、図３は、図２に示すノズル３０の一部分の拡大斜視図である。図２及び図３に示すように、ノズル３０は一般的に、中心胴体３２と、シュラウド３４と、複数のベーン３６とを含む。中心胴体３２は、ノズル３０内で中心に設置されかつノズル３０の長さに沿って全体的に延びて該ノズル３０の軸方向中心線３８を画成する。図２に示すように、シュラウド３４は、中心胴体３２の大部分又は少なくとも一部分を円周方向に囲繞して該中心胴体３２とシュラウド３４の間に環状通路４０を画成する。環状通路４０は、例えば図２及び図３に示すように、中心胴体３２にほぼ平行に設けることができる。ベーン３６は一般的に、中心胴体３２とシュラウド３４の間の環状通路４０内で半径方向に延びており、燃料は、中心胴体３２及び／又はシュラウド３４からベーン３６の燃料ポート４２を通して供給することができる。特定の実施形態では、図２及び図３に示すように、ベーン３６は、軸方向中心線３８に対して湾曲させるか又は傾斜させてベーン３６を横切って流れる作動流体及び／又は燃料に対して接線方向速度を与えて、燃焼に先立って環状通路４０内で作動流体と燃料との混合を高めることができる。
【００２０】
１以上のプレナムが、中心胴体３２の内部で軸方向に延びて該中心胴体３２への及び／又は該中心胴体３２を貫通する流体連通をもたらすことができる。例えば、図２及び図３に示すように、燃料プレナム４４及び希釈媒体プレナム４６は、中心胴体３２の長さに沿って及び／又は該中心胴体３２を貫通して延びることができる。燃料は、液体燃料又は気体燃料を含むことができ、希釈媒体は、燃料を希釈するのに好適な及び／又は中心胴体３２から熱を除去するのに好適な作動流体、水、蒸気、不活性ガス又はその他の流体を含むことができる。燃料及び希釈媒体プレナム４４、４６は、ノズル３０の下流表面５０における開口部４８で終端し、従って中心胴体３２内にかつ該中心胴体３２を通って流れる気体燃料、液体燃料又は希釈媒体のための流体連通をもたらすことができる。それに代えて又は加えて、希釈媒体プレナム４６は、中心胴体３２の下流表面５０に近接して終端し、従って中心胴体３２内に流れる希釈媒体のための流体連通をもたらしかつ該中心胴体３２の下流表面５０に対してインピンジメント冷却を与えることができる。燃料プレナム４４及び希釈媒体プレナム４６は、ノズル３０の軸方向中心線３８と同心に設けることができ、或いは図２及び図３に示すように、燃料プレナム４４及び希釈媒体プレナム４６は、軸方向中心線３８と整列させることができ、該軸方向中心線３８から半径方向にオフセットさせることができる。
【００２１】
図２及び図３に示すように、ノズル３０はさらに、中心胴体３２の内部に及び／又は該中心胴体３２の円周方向外周部内に配置されかつ中心胴体３２を貫通して軸方向に延びる点火装置５２を含むことができる。燃料プレナム４４及び希釈媒体プレナム４６の場合と同様に、点火装置５２は、軸方向中心線３８と同心にするか又は該中心線３８から半径方向にオフセットさせることができる。加えて、点火装置５２は、中心胴体３２の下流表面５０における開口部４８に近接して終端させて、該点火装置５２が中心胴体３２の下流表面５０において燃料プレナム４４に近接させることができる。点火装置５２は、点火源を構成するのに好適な当業者には公知の装置を含むことができる。例えば、点火装置５２は、ノズル３０の軸方向中心線３８にほぼ平行にスパークを投射するスパークプラグを含むことができる。同様に、点火装置５２は、パイロット燃料の場合に供給されるプラズマ点火装置、トーチ又は火炎源を含むことができる。必要に応じて、点火装置５２は、パイロット燃料を点火燃焼させるように動作させ、それによってノズル３０の軸方向中心線３８にほぼ平行に火炎を投射することができる。図２及び図３に示すように、点火装置５２は、光チューブ５８により中心胴体３２の内部にビームを発生させるレーザ５６を含むことができる。図３に示すように、ビームは、中心胴体３２の下流に焦点６０を有して、レーザ５６がノズル３０の軸方向中心線３８にほぼ平行にビームを投射して燃料プレナム４４から中心胴体３２の外方に流れる燃料を点火燃焼させることができる。
【００２２】
図４は、本発明の一実施形態による、図２及び図３に示すノズル３０を組入れた燃焼器７０の簡略側面断面図を示している。燃焼器７０は一般的に、燃焼チャンバ７６を画成する端部キャップ７２及びライナ７４を含む。作動流体７８は一般的に、該作動流体７８がノズル３０に到達まで燃焼チャンバ７６の外側に沿ってライナ７４とスリーブ８０の間を流れ、ノズル３０において作動流体７８は、その方向を逆転させてノズル３０内の環状通路４０及び／又は中心胴体３２を通って燃焼チャンバ７６内に流れる。
【００２３】
図５及び図６は、本発明の様々な実施形態による燃焼器７０の軸方向図を示している。図示するように、ノズル３０は、様々なジオメトリ、形状及び寸法の形態で端部キャップ７２内に半径方向に構成又は配置することができる。例えば、複数のノズル３０により、単一のノズル３０を囲繞してもよく、ノズル３０は、特定の実施形態に応じて様々な直径を有することができる。図５及び図６はさらに、燃料プレナム４４に対する点火装置５２の数及び相対位置は、特定の実施形態により変更することができることを示している。例えば、図５及び図６に示すように、燃焼器７０は、ノズル３０の２以上内に点火装置５２を備えていて、該点火装置５２の１つが動作不能に陥った場合に、余分の又は予備の点火源を構成することができる。加えて、ノズル３０は、様々な運転状況に適応する様々なサブセットとしてグループ化することができ、点火装置５２は、ノズル３０の各サブセットが専用の点火装置５２を有することができるように、異なるサブセットのノズル３０内に含ませることができる。加えて、各点火装置５２は、図５に示すように、燃料プレナム４４の半径方向外側に設置することができ、或いは図６に示すように、燃料プレナム４４の半径方向内側に設置することができる。さらに別の実施形態では、１以上の点火装置５２を、ノズル３０の外部で端部キャップ７２内に配置することができる。燃料プレナム４４に対する点火装置５２の特定の半径方向位置は、例えば燃料の種類、燃焼効率、ライナ７４へのノズル３０又は燃料プレナム４４の近接度、及びその他の運転経験のような様々な設計考慮事項によって決まる。従って、図２〜図６に示す実施形態では、ライナ７４及び／又は流れスリーブ８０を突き抜ける貫通部を必要とせずに、燃焼器７０を点火燃焼させるための信頼性がある装置が得られることが当業者には容易に分かるであろう。その結果、漏洩、摩耗、保守整備の増加、及び流動抵抗のようなライナ７４及び／又は流れスリーブ８０貫通部と関連する普通の欠点が、完全に減少又は回避される。
【００２４】
図２〜図６に関して図示しかつ説明した実施形態ではさらに、燃焼器７０を点火燃焼させるための方法を得ることができる。本方法は、ノズル３０内において軸方向に整列した中心胴体３２を通して液体又は気体燃料を流すステップと、環状通路４０を通して作動流体７８を流すステップとを含むことができる。本方法はさらに、中心胴体３２内に設置された点火装置５２からビーム、スパーク又は火炎の少なくとも１つを投射するステップを含むことができる。特定の実施形態では、ビーム、スパーク又は火炎は、ノズル３０の軸方向中心線３８にほぼ平行及び／又は中心胴体３２を通って流れる燃料の半径方向外側に投射させることができる。
【００２５】
本明細書では、本発明を最良の形態を含めて開示するとともに、装置又はシステムの製造・使用及び方法の実施を始め、本発明を当業者が実施できるようにするため、例を用いて説明してきた。本発明の特許性を有する範囲は、特許請求の範囲によって規定され、当業者に自明な他の例も包含する。かかる他の例は、特許請求の範囲の文言上の差のない構成要素を有しているか、或いは特許請求の範囲の文言と実質的な差のない均等な構成要素を有していれば、特許請求の範囲に記載された技術的範囲に属する。
【符号の説明】
【００２６】
１０  燃焼器
１２  作動流体
１４  流れスリーブ
１６  ライナ
１８  ノズル
２０  燃焼チャンバ
２２  点火システム
２４  クロスファイア管
３０  ノズル
３２  中心胴体
３４  シュラウド
３６  ベーン
３８  軸方向中心線
４０  環状通路
４２  燃料ポート
４４  燃料プレナム
４６  希釈媒体プレナム
４８  開口部
５０  下流表面
５２  点火装置
５６  レーザ
５８  光チューブ
６０  焦点
７０  燃焼器
７２  端部キャップ
７４  ライナ
７６  燃焼チャンバ
７８  作動流体
８０  流れスリーブ
【図１】
0005960969.tif 000002
【図２】
0005960969.tif 000003
【図３】
0005960969.tif 000004
【図４】
0005960969.tif 000005
【図５】
0005960969.tif 000006
【図６】
0005960969.tif 000007